(57)【要約】      （修正有）【課題】設置や取外しにおける手間がかからず、かつ暴風によって飛散してしまった場合においても２次被害の無い、一時的な屋根の修繕に用いる仮設屋根用シートを提供する。【解決手段】一時的な屋根の修繕に用いる仮設屋根用シート１０は、カバーシート１と、粘着シート３と、剥離シート５を積層してなる。仮設屋根用シート１０は、略四角形状であり、１辺の長さが１メートル以下である。【選択図】図２
0003224842.tif 000002
【実用新案登録請求の範囲】
【請求項１】
一時的な屋根の修繕に用いる仮設屋根用シートであって、
カバーシートと、
粘着シートと、
剥離シートを積層してなる、仮設屋根用シート。
【請求項２】
前記カバーシートは、略四角形である、請求項１に記載の仮設屋根用シート。
【請求項３】
前記カバーシートの略四角形の１辺の長さは、１メートル以下である、請求項２に記載の仮設屋根用シート。
【考案の詳細な説明】
【技術分野】
【０００１】
本考案は、仮設屋根用シートに関し、特に、一時的な屋根の修繕に用いる仮設屋根用シートに関する。
【背景技術】
【０００２】
従来、風雨等で屋根が破壊された場合において、一時的な屋根の修繕には、仮設屋根用シートとして雨養生シートをワイヤーロープやパイプ等を用いて架設していた（例えば、特許文献１）。
【先行技術文献】
【特許文献】
【０００３】
【特許文献１】実開平７−６３９６号公報
【考案の概要】
【考案が解決しようとする課題】
【０００４】
しかし、仮設屋根用シートとして雨養生シートをワイヤーロープやパイプ等を用いて設置するとなると、高所での作業においてワイヤーロープやパイプ等を持ち運ばなければならず、設置作業における危険性や設置や取外しにおける手間がかかるという問題があった。さらには、雨養生シートをワイヤーロープやパイプ等を用いて設置するため、暴風によってワイヤーロープやパイプが接続された状態の雨養生シートが飛散してしまうと２次被害が発生するという問題もある。
【０００５】
本考案は、このようなことに鑑みてなされたものであり、設置や取外しにおける手間がかからず、かつ暴風によって飛散してしまった場合においても２次被害の無い、一時的な屋根の修繕に用いる仮設屋根用シートを提供することである。
【課題を解決するための手段】
【０００６】
上記目的は、
一時的な屋根の修繕に用いる仮設屋根用シートであって、
カバーシート（１）と、
粘着シート（３）と、
剥離シート（５）を積層してなる、仮設屋根用シート（１０）、
によって達成される。
【０００７】
また、上記目的は、
前記カバーシート（１）は、略四角形である、上記の仮設屋根用シート（１０）、
によっても達成される。
【０００８】
また、上記目的は、
前記カバーシート（１）の略四角形の１辺の長さは、１メートル以下である、上記の仮設屋根用シート（１０）、
によっても達成される。
【考案の効果】
【０００９】
本考案によれば、設置や取外しにおける手間がかからず、かつ暴風によって飛散してしまった場合の２次被害もない、一時的な屋根の修繕に用いる仮設屋根用シートを提供することである。
【図面の簡単な説明】
【００１０】
【図１】本考案の実施形態による仮設屋根用シート１０を説明する図である。
【図２】本考案の実施形態による仮設屋根用シート１０を説明する図である。
【図３】本考案の実施形態による仮設屋根用シート１０を説明する図である。
【図４】本考案の実施形態による仮設屋根用シート２０を説明する図である。
【図５】本考案の実施形態による仮設屋根用シート２０を説明する図である。
【考案を実施するための形態】
【００１１】
以下、図１〜図３を用いて、本考案の実施形態による仮設屋根用シート１０を説明する。なお、以下の全ての図面においては、理解を容易にするため、各構成要素の寸法や比率などは適宜異ならせて図示する場合がある。
【００１２】
図１は、本実施形態による仮設屋根用シート１０の正面図である。図２は、本実施形態による仮設屋根用シート１０の側面図である。本実施形態による仮設屋根用シート１０は、正面視において正方形状のカバーシート１、粘着シート３、及び剥離シート５を上からこの順番に積層して構成される。
【００１３】
カバーシート１は、厚さ０．１ｍｍ程度のシート状の化学繊維の不織布で構成される。化学繊維としては、アラミド繊維に、ガラス繊維に、セルロース繊維、ナイロン繊維、ビニロン繊維、ポリエステル繊維、ポリエチレン繊維、ポリプロピレン繊維、ポリオレフィン繊維、及びレーヨン繊維等が用いられるが、これらを組み合わせてもよいし、これら以外の化学繊維が用いられてもよい。なお、カバーシート１は、鉱物繊維や天然繊維等の不織布を用いてもよいし、化学繊維や鉱物繊維や天然繊維等の布帛を用いてもよいし、紙（ダンボール紙）、合成樹脂等を用いてもよい。また、カバーシート１の厚さは、０．１ｍｍよりも厚くてもよいし、０．１ｍｍよりも薄くてもよい。また、カバーシート１は、木材や金属やセラミックス等の剛性の高い材質で構成されてもよい。また、カバーシート１には、繊維の間に合成樹脂等を塗り込む防水加工や、表面にフッ素やシリコーンをコーティングする撥水加工を施してもよい。
【００１４】
粘着シート３は、厚さ０．５ｍｍ程度のシート状のブチルゴム系粘着剤で構成される。なお、粘着シート３の粘着剤として、アクリル系粘着剤やシリコーン系粘着剤を用いてもよいし、ブチルゴム系粘着剤以外の粘着剤を用いてもよい。また、粘着シート３の厚さは、０．５ｍｍよりも厚くてもよいし、０．５ｍｍよりも薄くてもよい。
【００１５】
剥離シート５は、厚さ０．２ｍｍ程度の剥離紙で構成される。また、剥離シート５の厚さは、０．２ｍｍよりも厚くてもよいし、０．２ｍｍよりも薄くてもよい。また、剥離シート５に合成樹脂を用いてもよい。
【００１６】
本実施形態による仮設屋根用シート１０は、持ち運び容易とするための大きさであり、好ましくは、１辺の長さが３０ｃｍ〜１００ｃｍであり、更に好ましくは、１辺の長さが４０ｃｍ〜６０ｃｍであるが、１辺の長さが３０ｃｍ以下であってもよいし、１辺の長さが１００ｃｍ以上であってもよい。また、仮設屋根用シート１０は、長方形状であってもよいし、四角形以外の多角形状であってもよい。
【００１７】
次いで、図３を用いて、本実施形態による仮設屋根用シート１０の使用例を説明する。
【００１８】
図３（ａ）は、瓦屋根において２枚の瓦が暴風等によって飛ばされた状態を示している。図３（ｂ）は、図３（ａ）に示す２枚の瓦が飛ばされた箇所に仮設屋根用シート１０によって修繕した状態を示している。２枚の瓦が飛ばされた箇所に剥離シート５を剥離した仮設屋根用シート１０で覆い隠し、隣接している瓦に粘着シート３を貼着することで仮設屋根用シート１０が仮設される。このように、本実施形態による仮設屋根用シート１０を用いることで、ワイヤーロープやパイプ等を用いることなく、簡単に屋根の修繕を行うことが可能であり、屋根での作業における危険性の低減や再度、暴風によって飛散してしまった場合における２次被害の防止が実現できる。なお、本実施形態による仮設屋根用シート１０は、数メートルから数十メートルの長細状で構成され、現場において必要な大きさにカットしてから用いる場合があってもよい。
【００１９】
次いで、図４及び図５を用いて、本考案の実施形態による仮設屋根用シート２０を説明する。なお、上述の実施形態と同じ構成については符号を同一にすることでその説明を省略する場合がある。
【００２０】
図４は、本実施形態による仮設屋根用シート２０の正面図である。図中の点線は、隠れ線を示している。図５は、図４に示すＡ−Ａ線の断面図である。図４及び図５に示すように、仮設屋根用シート２０は、正面視において正方形状の不織布シート１、粘着シート３、及び剥離シート５を上からこの順番に積層され、粘着シート３に枠型シール１１が貼着される構成である。
【００２１】
枠型シール１１は、枠状の形状を有し、金属板１１ａと粘着シート１１ｂと剥離シート１１ｃを上からこの順番に積層して構成される。金属板１１ａは、厚さ０．１ｍｍ程度のアルミ板が用いられ、粘着シート１１ｂは、上述の粘着シート３と同じ構成であり、剥離シート１１ｃは、上述の剥離シート５と同じ構成である。
【００２２】
このように、本実施形態による仮設屋根用シート２０は、外側部分に金属板１１ａを有する枠型シール１１が貼着されているため、仮設屋根用シート２０に張りが生じるため、運搬性や作業性が向上する。
【００２３】
上述の実施形態は、本考案の好適な一例であるので、技術的に好ましい種々の限定が付されているが、本考案の範囲は、上述の説明によって不当に限定されるものではない。また、上述の実施形態で説明される構成の全てが本考案の必須の構成要件ではない。また、上述の実施形態で説明される構成は相互に付け足したり組み合わせたりしてもよい。
【産業上の利用可能性】
【００２４】
本考案は、一般住宅の屋根の一時的な修繕に用いる場合のみならず、一般住宅以外の建物の屋根の一時的な修繕においても利用可能であり、さらに、建物の建築時における一時的な仮設屋根においても広く利用可能である。
【符号の説明】
【００２５】
１  カバーシート
３  粘着シート
５  剥離シート
１０  仮設屋根用シート
１１  枠型シール
１１ａ  金属板
１１ｂ  粘着シート
１１ｃ  剥離シート
２０  仮設屋根用シート
【図１】
0003224842.tif 000003
【図２】
0003224842.tif 000004
【図３】
0003224842.tif 000005
【図４】
0003224842.tif 000006
【図５】
0003224842.tif 000007